(57)【特許請求の範囲】
【請求項１】
天井に開設された取り付け用の穴に室内側から挿入され、照明器具の下部に形成された張り出し部が天井の下面に当接した状態で、照明器具に取り付けられた複数の固定金具の各々が天井の上面に当接し、上記張り出し部と固定金具とで天井を上下方向から挟むことによって照明器具を天井に固定する埋込式照明器具において、上記照明器具は矩形状をしており、この照明器具の上面の４隅にそれぞれ上記固定金具を、上記取り付け用の穴を通して室内側から挿入する際に穴の周縁と干渉しない収納位置と、この収納位置から水平方向に９０度回動して上記天井の上面に当接可能な張出位置との間で回動自在であって、張出位置から天井の上面に向かって垂直下方に移動して天井の上面に当接し得るように設け、かつ、上記照明器具の４つの側面の内の特定の１面側から見た状態で、奥に位置する２つの固定金具の収納位置をこの特定の側面に対向する裏側の面側に設け、かつ、これら２つの固定金具の張出位置を照明器具の両側面側に設定したことを特徴とする埋込式照明器具。
【請求項２】
上記照明器具は本体と透光性を有するカバーとが一体に溶着されて形成されていることを特徴とする請求項１に記載の埋込式照明器具。
【発明の詳細な説明】
【技術分野】
【０００１】
本発明は、浴室の天井などに設置される埋込式照明器具に関する。
【背景技術】
【０００２】
天井に設置される埋込式照明器具では、天井に開設された取り付け用の穴に室内側から挿入され、天井に固定される本体と、その本体に対して室内側から取り付けられる透光性を有するカバーとから構成されている。このような構成の埋込式照明装置では、本体を取り付け用の穴に室内側から挿入した状態で、室内側から本体を天井に対してねじ止めしたり（例えば、特許文献１参照）、本体の内側に手を挿入して本体に予め設けられている固定用の部品をスライドさせるなどして本体を天井に固定している（例えば、特許文献２参照）。
【先行技術文献】
【特許文献】
【０００３】
【特許文献１】特開２０１３−７８３９２７号公報（図３）
【特許文献２】特開平７−２９６６２３号公報（図２２〜図２４）
【発明の概要】
【発明が解決しようとする課題】
【０００４】
上記従来の埋込式照明器具は、居間などの防水性を要求されない個所に取り付けられるものであるが、浴室や屋外などの照明器具自体に防水性を要求される部分には採用することができない。すなわち、防水性を要求される個所に取り付けられる照明器具は、予め本体とカバーとが水密に結合されており、本体だけを単独で天井に固定することができず、また、室内側からねじ止めすることもデザイン上採用することができない。
【０００５】
なお、照明器具を天井の上方で天井に対してねじ止めすればデザインが損なわれることは防止できるが、天井裏のスペースが狭い場合にはねじ止め作業がしづらい、あるいはできないという不具合が生じる。
【０００６】
そこで本発明は、上記の問題点に鑑み、本体とカバーとが予め結合されているような照明器具でもデザインを損なうこと無く天井に取り付けることのできる埋込式照明器具を提供することを課題とする。
【課題を解決するための手段】
【０００７】
上記課題を解決するために本発明による埋込式照明器具は、天井に開設された取り付け用の穴に室内側から挿入され、照明器具の下部に形成された張り出し部が天井の下面に当接した状態で、照明器具に取り付けられた複数の固定金具の各々が天井の上面に当接し、上記張り出し部と固定金具とで天井を上下方向から挟むことによって照明器具を天井に固定する埋込式照明器具において、上記照明器具は矩形状をしており、この照明器具の上面の４隅にそれぞれ上記固定金具を、上記取り付け用の穴を通して室内側から挿入する際に穴の周縁と干渉しない収納位置と、この収納位置から水平方向に９０度回動して上記天井の上面に当接可能な張出位置との間で回動自在であって、張出位置から天井の上面に向かって垂直下方に移動して天井の上面に当接し得るように設け、かつ、上記照明器具の４つの側面の内の特定の１面側から見た状態で、奥に位置する２つの固定金具の収納位置をこの特定の側面に対向する裏側の面側に設け、かつ、これら２つの固定金具の張出位置を照明器具の両側面側に設定したことを特徴とする。
【０００８】
上記取り付け用の穴に隣接して点検口が開設されている場合、上記特定の１側面が個の点検口に正対するように照明器具を取り付け用の穴に挿入する。この状態で手前の２つの固定金具は収納位置から張出位置に回動しても点検口側から目視することができる。一方、奥側に位置する２つの固定金具は張出位置に回動した状態で点検口側から目視できることが必要である。そこで、収納位置では奥側の側面に隠れて目視できなくとも張出位置に回動した状態で側面側に出てきて点検口側から張出位置にあることを目視して確認できるようにした。
【０００９】
なお、上記照明器具は本体と透光性を有するカバーとが一体に溶着されて形成されている場合には、室内側からねじ止めなどできないので、上記発明が特に有効である。
【発明の効果】
【００１０】
以上の説明から明らかなように、本発明は、点検口からの作業で固定金具を確実に張出位置に回動することができるので、本体とカバーとが予め結合されているような照明器具でもデザインを損なうこと無く天井に取り付けることができる。
【図面の簡単な説明】
【００１１】
【図１】本発明の照明器具の形状を示す斜視図
【図２】天井の上面側から見た斜視図
【図３】固定金具の回動方向を示す図
【図４】固定金具の他の回動方向を示す図
【発明を実施するための形態】
【００１２】
図１を参照して、１は本発明による埋込式照明器具（以下、単に照明器具という）である。この照明器具１は内部にＬＥＤなどの発光部を内蔵する樹脂製の本体１１と、この本体１１に対して全周にわたって溶着された透光性樹脂からなるカバー１２とで構成されている。
【００１３】
本体１１には後述する取り付け用の穴に室内側から挿入された状態で手を離しても照明器具１が落下しないように仮止めする１対の仮止め金具１３が取り付けられている。また、その仮止めされた状態から天井に照明器具１を固定する４個の固定金具２が取り付けられている。
【００１４】
これら固定金具２は実線で示す収納位置にある状態から２点鎖線で示す張出位置２ａに示す状態まで回動することができる。そして、各固定金具２は図示しないバネで上方に付勢されているが、張出位置２ａで蝶ネジ３を締めることによってバネの付勢力に抗して固定金具２が下方に移動し、固定金具２の先端２１と本体１１の張り出し部１４とで天井を上下方向から挟み込むことによって、照明器具１を天井に固定するように構成されている。
【００１５】
図２を参照して、４は照明器具１を天井に取り付けるための穴で有り、５は点検口である。この照明器具１は浴室の天井に取り付ける場合が多く、ユニット式の浴室では天井裏の配線などを行うための点検口５が設けられており、上記穴４はこの点検口５に隣接して設けられている。
【００１６】
図３に示すように、固定金具２が収納位置にある状態では照明器具１を穴４に室内側から挿入する際に、固定金具２は穴４の周縁に接触しないが、回動して張出位置２ａに移動させると先端２１は穴４の周縁より外側に張り出し、その状態で蝶ネジ３を締めれば固定金具２の先端２１が天井の上面に当接する。
【００１７】
４個の固定金具２の回動方向は、張出位置２ａに回動した状態で点検口５側から目視できるように、穴４と点検口５とを結ぶ中心線を仮想して、その中心線から離れる方向に回動するようにした。
【００１８】
ただし、張出位置２ａに移動した状態で点検口５側から目視できればよいので、例えば図４に示すように、点検口５に近い２個の固定金具２については点検口５に近づく方向に回動するように構成してもよい。
【００１９】
なお、本発明は上記した形態に限定されるものではなく、本発明の要旨を逸脱しない範囲内において種々の変更を加えてもかまわない。
【符号の説明】
【００２０】
１ 照明器具
２ 固定金具
２ａ 張出位置
３ 蝶ネジ
４ （取り付け用の）穴
５ 点検口
１４ 張り出し部
２１ 先端
【図１】
0006534257.tif 000002
【図２】
0006534257.tif 000003
【図３】
0006534257.tif 000004
【図４】
0006534257.tif 000005